(57)【要約】【課題】台形歪を補正する際の利便性を向上させることが可能なプロジェクター及びその制御方法を提供する。【解決手段】上下の方向キー４４ａ，４４ｂには、縦方向の台形歪を補正する縦方向手動補正機能が割り当てられ、左右の方向キー４４ｃ，４４ｄには、スピーカーから出力される音声の音量を調整する音量調整機能が割り当てられている。一方、横方向の台形歪を手動で補正する横方向手動補正機能については、縦方向手動補正機能や音量調整機能に比べて使用頻度が高くないため、いずれの操作キーにも割り当てられていない。但し、姿勢検出部の検出結果に基づいて自動で台形歪の補正が行われた後には、横方向手動補正機能が、左右の方向キー４４ｃ，４４ｄに一時的に割り当てられる。【選択図】図３
2012160930.tif 000002
【特許請求の範囲】
【請求項１】
プロジェクターであって、
画像を投写する画像投写部と、
前記プロジェクターの設置状態を検出する検出部と、
前記画像投写部から投写される前記画像の台形歪を、前記検出部の検出結果に基づいて補正する自動補正部と、
所定の機能が割り当てられた操作キーに対する入力操作を受け付ける入力操作部と、
前記自動補正部による前記画像に対する前記台形歪の補正の実施に伴って、前記画像の形状を補正するための操作を受け付ける手動補正機能を前記操作キーに一時的に割り当てる制御部と、
前記手動補正機能が割り当てられた前記操作キーに対する操作に応じて前記画像の形状を補正する手動補正部と、
を備えたことを特徴とするプロジェクター。
【請求項２】
請求項１に記載のプロジェクターであって、
前記自動補正部による前記画像に対する前記台形歪の補正の後で、前記画像の形状を補正するための操作を補助する操作画面を前記画像投写部から投写させる操作画面表示部をさらに備え、
前記手動補正部は、前記操作画面が表示されている間、前記手動補正機能が割り当てられた前記操作キーに対する操作に応じて前記画像の形状を補正することを特徴とするプロジェクター。
【請求項３】
請求項２に記載のプロジェクターであって、
前記自動補正部による前記画像に対する前記台形歪の補正の後で、前記画像の形状を補正するか否かを問い合わせる確認画面を前記画像投写部から投写させる確認画面表示部をさらに備え、
前記操作画面表示部は、前記確認画面による問い合わせへの応答として、前記画像の形状を補正することを示す入力操作を前記入力操作部が受け付けた場合に、前記操作画面を投写させることを特徴とするプロジェクター。
【請求項４】
画像を投写するプロジェクターの制御方法であって、
前記プロジェクターの設置状態を検出する検出ステップと、
前記画像の台形歪を、前記検出ステップでの検出結果に基づいて補正する自動補正ステップと、
前記自動補正ステップでの前記画像に対する前記台形歪の補正の実施に伴って、所定の機能が割り当てられた操作キーに、前記画像の形状を補正するための操作を受け付ける手動補正機能を一時的に割り当てる機能変更ステップと、
前記手動補正機能が割り当てられた前記操作キーに対する操作に応じて、前記画像の形状を補正する手動補正ステップと、
を備えたことを特徴とするプロジェクターの制御方法。
【請求項５】
請求項４に記載のプロジェクターの制御方法であって、
前記自動補正ステップでの前記画像に対する前記台形歪の補正の後で、前記画像の形状を補正するための操作を補助する操作画面を投写させる操作画面表示ステップをさらに備え、
前記手動補正ステップでは、前記操作画面が投写されている間、前記手動補正機能が割り当てられた前記操作キーに対する操作に応じて前記画像の形状を補正することを特徴とするプロジェクターの制御方法。
【請求項６】
請求項５に記載のプロジェクターの制御方法であって、
前記自動補正ステップでの前記画像に対する前記台形歪の補正の後で、前記画像の形状を補正するか否かを問い合わせる確認画面を投写させる確認画面表示ステップと、
前記確認画面による問い合わせへの応答を受け付ける応答ステップと、をさらに備え、
前記操作画面表示ステップでは、前記画像の形状を補正することを示す応答を前記応答ステップで受け付けた場合に、前記操作画面を投写させることを特徴とするプロジェクターの制御方法。
【発明の詳細な説明】
【技術分野】
【０００１】
本発明は、画像を投写するプロジェクター及びその制御方法に関する。
【背景技術】
【０００２】
画像を投写するプロジェクターが投写面に対して傾いて設置されると、表示される画像が台形状に変形する現象（台形歪）が生じてしまう。このため、プロジェクターの設置状態に応じて台形歪を自動的に補正する技術が種々提案されている（例えば、特許文献１参照）。このような技術によって台形歪を自動的に補正した後には、台形歪をより適切に補正するために、補正量を手動で微調整したい場合がある。また、縦方向の台形歪のみを自動で補正可能なプロジェクターでは、縦方向の台形歪を自動的に補正した後で横方向の台形歪を手動で補正したい場合がある。
【先行技術文献】
【特許文献】
【０００３】
【特許文献１】特開２００４−１８７０５２号公報
【発明の概要】
【発明が解決しようとする課題】
【０００４】
しかしながら、プロジェクターの設置時以外には台形歪を補正する頻度が低いことに加え、コスト、デザイン、スペース等の制約により、台形歪を手動で補正するための専用の操作キーがプロジェクターに配置されていないことが多い。このようなプロジェクターでは、各種設定等を行うためのメニュー画面を開き、メニューを辿って台形歪を手動で補正するための操作画面を開いた後で、補正の操作を行う必要があるため、操作が煩雑であり、利便性が悪いという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、画像を投写する画像投写部と、前記プロジェクターの設置状態を検出する検出部と、前記画像投写部から投写される前記画像の台形歪を、前記検出部の検出結果に基づいて補正する自動補正部と、所定の機能が割り当てられた操作キーに対する入力操作を受け付ける入力操作部と、前記自動補正部による前記画像に対する前記台形歪の補正の実施に伴って、前記画像の形状を補正するための操作を受け付ける手動補正機能を前記操作キーに一時的に割り当てる制御部と、前記手動補正機能が割り当てられた前記操作キーに対する操作に応じて前記画像の形状を補正する手動補正部と、を備えたことを特徴とする。
【０００７】
このプロジェクターによれば、検出部の検出結果に基づく補正（自動補正）の実施に伴って、入力操作部の操作キーに手動補正機能が一時的に割り当てられる。通常、手動補正機能は、自動補正の後で自動補正を補うために用いられることが多いことから、自動補正の実施に伴って操作キーに手動補正機能が一時的に割り当てられることにより、台形歪を補正する際の利便性が向上する。また、自動補正を実施するとき以外は、操作キーに他の機能を割り当てておくことが可能となるため、操作キーを有効に利用することが可能になる。
【０００８】
［適用例２］上記適用例に係るプロジェクターにおいて、前記自動補正部による前記画像に対する前記台形歪の補正の後で、前記画像の形状を補正するための操作を補助する操作画面を前記画像投写部から投写させる操作画面表示部をさらに備え、前記手動補正部は、前記操作画面が表示されている間、前記手動補正機能が割り当てられた前記操作キーに対する操作に応じて前記画像の形状を補正するようにしてもよい。
【０００９】
このプロジェクターによれば、検出部の検出結果に基づく補正（自動補正）の後で、画像の形状を手動で補正するための操作を補助する操作画面が表示されるため、自動補正を補う補正を手動で行う際の利便性が向上する。
【００１０】
［適用例３］上記適用例に係るプロジェクターにおいて、前記自動補正部による前記画像に対する前記台形歪の補正の後で、前記画像の形状を補正するか否かを問い合わせる確認画面を前記画像投写部から投写させる確認画面表示部をさらに備え、前記操作画面表示部は、前記確認画面による問い合わせへの応答として、前記画像の形状を補正することを示す入力操作を前記入力操作部が受け付けた場合に、前記操作画面を投写させるようにしてもよい。
【００１１】
このプロジェクターによれば、画像の形状を補正するか否かを問い合わせる確認画面を投写させ、補正することを示す応答を受け付けた場合に操作画面を投写させるため、自動補正だけ行えばよい場合に、手動で補正するための操作画面を投写せずに済む。
【００１２】
［適用例４］本適用例に係るプロジェクターの制御方法は、画像を投写するプロジェクターの制御方法であって、前記プロジェクターの設置状態を検出する検出ステップと、前記画像の台形歪を、前記検出ステップでの検出結果に基づいて補正する自動補正ステップと、前記自動補正ステップでの前記画像に対する前記台形歪の補正の実施に伴って、所定の機能が割り当てられた操作キーに、前記画像の形状を補正するための操作を受け付ける手動補正機能を一時的に割り当てる機能変更ステップと、前記手動補正機能が割り当てられた前記操作キーに対する操作に応じて、前記画像の形状を補正する手動補正ステップと、を備えたことを特徴とする。
【００１３】
このプロジェクターの制御方法によれば、検出ステップでの検出結果に基づく補正（自動補正）の実施に伴って、操作キーに手動補正機能が一時的に割り当てられる。通常、手動補正機能は、自動補正の後で自動補正を補うために用いられることが多いことから、自動補正の実施に伴って操作キーに手動補正機能が一時的に割り当てられることにより、台形歪を補正する際の利便性が向上する。また、自動補正を実施するとき以外は、操作キーに他の機能を割り当てておくことが可能となるため、操作キーを有効に利用することが可能になる。
【００１４】
［適用例５］上記適用例に係るプロジェクターの制御方法において、前記自動補正ステップでの前記画像に対する前記台形歪の補正の後で、前記画像の形状を補正するための操作を補助する操作画面を投写させる操作画面表示ステップをさらに備え、前記手動補正ステップでは、前記操作画面が投写されている間、前記手動補正機能が割り当てられた前記操作キーに対する操作に応じて前記画像の形状を補正するようにしてもよい。
【００１５】
このプロジェクターの制御方法によれば、検出ステップでの検出結果に基づく補正（自動補正）の後で、画像の形状を手動で補正するための操作を補助する操作画面が表示されるため、自動補正を補う補正を手動で行う際の利便性が向上する。
【００１６】
［適用例６］上記適用例に係るプロジェクターの制御方法において、前記自動補正ステップでの前記画像に対する前記台形歪の補正の後で、前記画像の形状を補正するか否かを問い合わせる確認画面を投写させる確認画面表示ステップと、前記確認画面による問い合わせへの応答を受け付ける応答ステップと、をさらに備え、前記操作画面表示ステップでは、前記画像の形状を補正することを示す応答を前記応答ステップで受け付けた場合に、前記操作画面を投写させるようにしてもよい。
【００１７】
このプロジェクターの制御方法によれば、画像の形状を補正するか否かを問い合わせる確認画面を投写させ、補正することを示す応答を受け付けた場合に操作画面を投写させるため、自動補正だけ行えばよい場合に、手動で補正するための操作画面を投写せずに済む。
【図面の簡単な説明】
【００１８】
【図１】プロジェクターを示す斜視図であり、（ａ）は、前方から見た図、（ｂ）は、後方から見た図。
【図２】プロジェクターの概略構成を示すブロック図。
【図３】プロジェクターの操作パネルを示す平面図。
【図４】縦方向の台形歪の補正を説明するための説明図であり、（ａ）は、プロジェクターの側面図、（ｂ）、（ｄ）は、投写面の正面図、（ｃ）は、液晶ライトバルブの正面図。
【図５】第１実施形態において、台形歪を補正する際のプロジェクターの動作を示すフローチャート。
【図６】横方向の台形歪の補正を説明するための説明図であり、（ａ）は、プロジェクターの平面図、（ｂ）、（ｄ）は、投写面の正面図、（ｃ）は、液晶ライトバルブの正面図。
【図７】第２実施形態において、台形歪を補正する際のプロジェクターの動作を示すフローチャート。
【図８】操作画面を示す説明図。
【図９】確認画面を示す説明図。
【発明を実施するための形態】
【００１９】
（第１実施形態）
以下、第１実施形態のプロジェクターについて、図面を参照して説明する。
【００２０】
図１は、本実施形態のプロジェクターを示す斜視図であり、（ａ）は、前方から見た図、（ｂ）は、後方から見た図である。
図１（ａ）、（ｂ）に示すように、プロジェクター１は、装置本体を収容する筐体２を備えて構成されており、筐体２の上面２ｔには、ユーザーにより入力操作が行われる操作パネル２２が配置されている。筐体２の背面２ｒには、複数の入力端子を備えた画像音声入力部２３が設けられており、画像音声入力部２３には、図示しない外部の画像供給装置から画像情報や音声情報が入力される。筐体２の前面２ｆには、投写レンズ１３を露出させるための開口部３が形成されており、この投写レンズ１３から、画像情報に基づく画像が前方の投写面Ｓに投写される。
【００２１】
筐体２の底面には、前方に１つと後方に２つの脚部（フット４）が設けられており、このうち、前方の脚部（フロントフット４ａ）は、筐体２の底面から突出する長さ（突出量）を調整可能になっている。そして、フロントフット４ａの突出量を最短にすると、プロジェクター１は、設置面と略平行な姿勢になり、このとき、投写レンズ１３の光軸は投写面Ｓに対して垂直になる。そして、フロントフット４ａの突出量を長くするほど、筐体２の前面２ｆ側が持ち上がるようにプロジェクター１が傾き、画像の投写位置がより上方に移動する。
【００２２】
図２は、プロジェクター１の概略構成を示すブロック図であり、図３は、プロジェクター１の操作パネル２２を示す平面図である。
図２に示すように、プロジェクター１は、画像投写部１０、制御部２０、記憶部２１、操作パネル２２、画像音声入力部２３、画像処理部２４、ＯＳＤ処理部２５、画像補正部２６、音声処理部２７、スピーカー２８、姿勢検出部２９等を備えており、これらは、筐体２の内部に収容されている。
【００２３】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、表示部に相当するものであり、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２４】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２５】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域１２ａを備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域１２ａを透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２６】
制御部２０は、ＣＰＵ（Central Processing Unit）や、各種データ等の一時記憶に用いられるＲＡＭ（Random Access Memory）等を備え、記憶部２１に記憶されている制御プログラムに従ってＣＰＵが動作することによりプロジェクター１の動作を制御する。つまり、制御部２０は、記憶部２１とともにコンピューターとして機能する。
【００２７】
記憶部２１は、フラッシュメモリーや、マスクＲＯＭ（Read Only Memory）、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００２８】
操作パネル２２は、ユーザーの入力操作を受け付ける入力操作部に相当するものであり、ユーザーがプロジェクター１に対して各種指示を行うための複数の操作キーを備えている。図３に示すように、本実施形態の操作パネル２２には、電源キー４１、入力切替キー４２、メニューキー４３、上下左右に対応する４つの方向キー４４、決定キー４５、ＥＳＣ（Escape）キー４６、ヘルプキー４７等の操作キーが含まれている。ユーザーが操作パネル２２の各種操作キーを操作すると、操作パネル２２は、この操作を受け付けて、操作された操作キーに対応する制御信号を制御部２０に出力する。そして、制御部２０は、操作パネル２２から制御信号が入力されると、プロジェクター１の動作を制御して、入力された制御信号に基づく処理を行う。なお、操作パネル２２の代わりに、或いは操作パネル２２とともに、遠隔操作が可能なリモコン（図示せず）を入力操作部として用いた構成としてもよい。この場合、リモコンは、ユーザーの操作内容に応じた赤外線の操作信号を発信し、図示しないリモコン信号受信部がこれを受信して制御部２０に伝達する。
【００２９】
画像音声入力部２３は、上述したように、複数の入力端子を備えており、これらの入力端子には、ビデオ再生装置やパーソナルコンピューター等、図示しない外部の画像供給装置から各種形式の画像情報や音声情報が入力される。画像音声入力部２３は、入力された画像情報を画像処理部２４に出力し、入力された音声情報を音声処理部２７に出力する。
【００３０】
画像処理部２４は、画像音声入力部２３から入力される各種形式の画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部２４は、制御部２０の指示に基づいて、変換した画像情報に対して、明るさ、コントラスト、シャープネス、色合い等の画質を調整するための画質調整処理等を行い、処理後の画像情報をＯＳＤ処理部２５に出力する。
【００３１】
ＯＳＤ処理部２５は、制御部２０の指示に基づいて、画像音声入力部２３に入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部２５は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部２５は、必要なＯＳＤ画像情報をＯＳＤメモリーから読み出し、入力画像上の所定の位置にＯＳＤ画像が重畳されるように、画像処理部２４から入力される画像情報にこのＯＳＤ画像情報を合成する。ＯＳＤ画像情報が合成された画像情報は、画像補正部２６に出力される。なお、制御部２０からＯＳＤ画像を重畳する旨の指示がない場合には、ＯＳＤ処理部２５は、画像処理部２４から入力される画像情報を、そのまま画像補正部２６に出力する。
【００３２】
画像補正部２６は、投写面Ｓに対して斜め方向から画像を投写する場合に生じる台形歪を補正するための処理を行う。具体的には、画像補正部２６は、制御部２０の指示に基づいて、液晶ライトバルブ１２Ｒ，１２Ｇ，１２Ｂの画素領域１２ａ内に、台形歪を相殺可能な形状の画像形成領域１２ｅ（図４（ｃ）参照）を設定する。そして、この画像形成領域１２ｅ内に入力画像が形成されるように、ＯＳＤ処理部２５から入力される画像情報を補正するとともに、画像形成領域１２ｅの外側の画素については、黒色の画素値、つまり、光透過率が最小となる画素値に設定する。画像補正部２６は、上記のように補正した画像情報を液晶駆動部１４に出力する。なお、制御部２０から台形歪を補正する旨の指示がない場合には、画像補正部２６は、ＯＳＤ処理部２５から入力される画像情報を、そのまま液晶駆動部１４に出力する。この場合には、画素領域１２ａの全域が画像形成領域１２ｅとなり、画素領域１２ａの全域で入力画像が形成される。
【００３３】
その後、液晶駆動部１４が、画像補正部２６から入力される画像情報に従って液晶ライトバルブ１２Ｒ，１２Ｇ，１２Ｂを駆動すると、液晶ライトバルブ１２Ｒ，１２Ｇ，１２Ｂによって画像情報に応じた画像光に変調され、この画像光が投写レンズ１３から投写される。
【００３４】
音声処理部２７は、制御部２０の指示に基づいて、画像音声入力部２３から入力された音声情報に音質調整処理や音量調整処理等の処理を適宜施す。そして、処理後の音声情報をスピーカー２８に供給し、音声情報に基づく音声をスピーカー２８から出力させる。
【００３５】
姿勢検出部２９は、加速度センサー等によって構成され、プロジェクター１の設置状態、即ちプロジェクター１の上下方向の傾き（姿勢）を検出する。姿勢検出部２９は、検出結果を制御部２０に出力し、制御部２０は、姿勢検出部２９の検出結果に基づき、画像補正部２６に縦方向の台形歪の補正を指示する。
【００３６】
図４は、縦方向の台形歪の補正を説明するための説明図であり、（ａ）は、プロジェクター１の側面図、（ｂ）、（ｄ）は、投写面Ｓの正面図、（ｃ）は、液晶ライトバルブ１２Ｒ，１２Ｇ，１２Ｂの正面図である。
例えば、図４（ａ）に示すように、フロントフット４ａを突出させること等により、投写レンズ１３の光軸Ａが斜め上方を向くようにプロジェクター１が傾いている場合には、図４（ｂ）に示すように、投写される画像Ｐｏ（入力画像Ｐｉ）は、上方ほど拡大するような台形状に変形して表示される。このため、図４（ｃ）に示すように、制御部２０は、この台形歪が相殺されるように、画像形成領域１２ｅの形状を、上側ほど縮小するように画像補正部２６に設定させ、この画像形成領域１２ｅ内に入力画像を形成させる。この結果、図４（ｄ）に示すように、台形歪が補正され、入力画像Ｐｉが矩形状に表示される。また、図示は省略するが、投写レンズ１３の光軸Ａが斜め下方を向くようにプロジェクター１が傾いている場合には、投写される画像は、下方ほど拡大するような台形状に変形するため、制御部２０は、画像形成領域１２ｅの形状を、下側ほど縮小させるように画像補正部２６に設定させる。このように、縦方向（上下方向）の台形歪に関しては、ユーザーが手動で補正の操作を行うことなく、姿勢検出部２９によって検出されるプロジェクター１の傾きに基づいて自動で補正される。
【００３７】
図３に示したように、操作パネル２２の４つの方向キー４４のうち、上下方向に対応する方向キー４４（上方向キー４４ａ及び下方向キー４４ｂ）には、縦方向の台形歪を手動で補正するための機能（以降、「縦方向手動補正機能」と呼ぶ。）が割り当てられており、ユーザーは、縦方向の台形歪を手動で微調整することが可能になっている。ユーザーが、上下の方向キー４４ａ，４４ｂを操作すると、制御部２０は、画像補正部２６に指示をして、画像形成領域１２ｅの形状を操作に応じて調整させる。具体的には、上方向キー４４ａが操作された場合には、制御部２０は、画像補正部２６に指示をして、画像形成領域１２ｅの上側を所定量だけ縮小させ、下方向キー４４ｂが操作された場合には、画像形成領域１２ｅの下側を所定量だけ縮小させる。なお、画像形成領域１２ｅの下側が縮小している状態で上方向キー４４ａが操作された場合には、制御部２０は、画像形成領域１２ｅの上側を縮小させる代わりに、下側の縮小を所定量だけ戻す。同様に、画像形成領域１２ｅの上側が縮小している状態で下方向キー４４ｂが操作された場合には、制御部２０は、画像形成領域１２ｅの下側を縮小させる代わりに、上側の縮小を所定量だけ戻す。
【００３８】
また、左右方向に対応する方向キー４４（左方向キー４４ｃ及び右方向キー４４ｄ）には、スピーカー２８から出力される音声の音量を調整する機能（以降、「音量調整機能」と呼ぶ。）が割り当てられており、ユーザーが左右の方向キー４４ｃ，４４ｄを操作すると、制御部２０は、音声処理部２７に指示をして、音量を増減させる処理を行わせる。具体的には、左方向キー４４ｃが操作されると、制御部２０は、音量を所定量だけ小さくし、右方向キー４４ｄが操作されると、音量を所定量だけ大きくする。
【００３９】
このように、本実施形態では、縦方向手動補正機能が上下の方向キー４４ａ，４４ｂに割り当てられているが、横方向の台形歪を手動で補正する機能（以降、「横方向手動補正機能」と呼ぶ。）については、縦方向手動補正機能や音量調整機能に比べて使用頻度が高くないため、いずれの操作キーにも割り当てられていない。但し、姿勢検出部２９の検出結果に基づいて自動で台形歪の補正が行われた後には、横方向手動補正機能が、左右の方向キー４４ｃ，４４ｄに一時的に割り当てられるようになっている。
【００４０】
図５は、台形歪を補正する際のプロジェクター１の動作を示すフローチャートである。ユーザーがプロジェクター１の姿勢（傾き）を変化させると、プロジェクター１は、図５に示すフローに従って動作する。
図５に示すように、ステップＳ１０１では、姿勢検出部２９がプロジェクター１の傾きを検出し、検出結果を制御部２０に出力する。
【００４１】
ステップＳ１０２では、制御部２０は、姿勢検出部２９の検出結果に基づいて、画像補正部２６に縦方向の台形歪を補正（自動補正）させる。つまり、制御部２０は、画像補正部２６に指示をして、姿勢検出部２９が検出したプロジェクター１の傾きに応じて画像形成領域１２ｅの形状を設定させ、この画像形成領域１２ｅ内に入力画像を形成させる。
【００４２】
ステップＳ１０３では、制御部２０は、左右の方向キー４４ｃ，４４ｄに対する機能の割り当てを一時的に変更する。具体的には、それまで割り当てられていた音量調整機能の代わりに、横方向手動補正機能を左右の方向キー４４ｃ，４４ｄに一時的に割り当てる。
【００４３】
ここで、横方向の台形歪について説明する。例えば、図６（ａ）に示すように、投写レンズ１３の光軸Ａが投写面Ｓに対して斜め左方向を向くようにプロジェクター１が傾いている場合には、図６（ｂ）に示すように、投写される画像Ｐｏ（入力画像Ｐｉ）は、左側ほど拡大するような台形状に変形して表示される。この場合には、図６（ｃ）に示すように、この台形歪が相殺されるように、画像形成領域１２ｅの形状を、左側ほど縮小するように設定すれば、図６（ｄ）に示すように、台形歪が補正されて、入力画像Ｐｉが矩形状に表示される。また、図示は省略するが、投写レンズ１３の光軸Ａが投写面Ｓに対して斜め右方向を向くようにプロジェクター１が傾いている場合には、投写される画像は、右側ほど拡大するような台形状に変形する。この場合には、画像形成領域１２ｅの形状を、右側ほど縮小させるように設定すれば、入力画像Ｐｉが矩形状に表示される。
【００４４】
本実施形態では、左右の方向キー４４ｃ，４４ｄに横方向手動補正機能が割り当てられている状態で、左方向キー４４ｃが操作された場合には、制御部２０は、画像補正部２６に指示をして、画像形成領域１２ｅの左側を所定量だけ縮小させ、右方向キー４４ｄが操作された場合には、画像形成領域１２ｅの右側を所定量だけ縮小させる。なお、画像形成領域１２ｅの右側が縮小している状態で左方向キー４４ｃが操作された場合には、制御部２０は、画像形成領域１２ｅの左側を縮小させる代わりに、右側の縮小を所定量だけ戻す。同様に、画像形成領域１２ｅの左側が縮小している状態で右方向キー４４ｄが操作された場合には、制御部２０は、画像形成領域１２ｅの右側を縮小させる代わりに、左側の縮小を所定量だけ戻す。
【００４５】
図５に戻って、ステップＳ１０４では、制御部２０は、上下の方向キー４４ａ，４４ｂが操作されたか否かを判断する。そして、上下の方向キー４４ａ，４４ｂが操作された場合にはステップＳ１０５に移行し、上下の方向キー４４ａ，４４ｂが操作されていない場合にはステップＳ１０６に移行する。
【００４６】
上下の方向キー４４ａ，４４ｂが操作されてステップＳ１０５に移行した場合には、制御部２０は、操作された方向キー４４ａ，４４ｂに応じて画像補正部２６に縦方向の台形歪を補正（手動補正）させて、ステップＳ１０４に戻る。
【００４７】
ステップＳ１０６では、制御部２０は、左右の方向キー４４ｃ，４４ｄが操作されたか否かを判断する。そして、左右の方向キー４４ｃ，４４ｄが操作された場合にはステップＳ１０７に移行し、左右の方向キー４４ｃ，４４ｄが操作されていない場合にはステップＳ１０８に移行する。
【００４８】
左右の方向キー４４ｃ，４４ｄが操作されてステップＳ１０７に移行した場合には、制御部２０は、操作された方向キー４４ｃ，４４ｄに応じて画像補正部２６に横方向の台形歪を補正（手動補正）させて、ステップＳ１０４に戻る。
【００４９】
ステップＳ１０８では、制御部２０は、上下左右の方向キー４４が操作されない状態が所定時間継続したか否かを判断する。そして、所定時間継続した場合にはステップＳ１０９に移行し、所定時間継続していない場合にはステップＳ１０４に戻る。
【００５０】
いずれの方向キー４４も操作されない状態が所定時間継続してステップＳ１０９に移行した場合には、制御部２０は、左右の方向キー４４ｃ，４４ｄに対する機能の割り当てを元に戻す。つまり、左右の方向キー４４ｃ，４４ｄに、音量調整機能を再び割り当ててフローを終了する。
【００５１】
本実施形態のプロジェクター１は、上記のように動作するため、ユーザーがプロジェクター１の姿勢（傾き）を変化させると、この変化が姿勢検出部２９によって検出され、プロジェクター１の傾きに伴って生じる縦方向の台形歪が自動で補正される。そして、その後、ユーザーは、方向キー４４を操作することによって、自動で補正された縦方向の台形歪を微調整することができるとともに、自動では補正されない横方向の台形歪も容易に補正することができる。
【００５２】
以上説明したように、本実施形態のプロジェクター１よれば、姿勢検出部２９の検出結果に基づく補正（自動補正）の実施に伴って、左右の方向キー４４ｃ，４４ｄに横方向手動補正機能が一時的に割り当てられる。通常、台形歪を手動で補正する機能は、自動補正の後で自動補正を補うために用いられることが多いことから、方向キー４４ｃ，４４ｄに横方向手動補正機能が一時的に割り当てられることにより、台形歪を補正する際の利便性が向上する。また、自動補正を実施するとき以外は、左右の方向キー４４ｃ，４４ｄに他の機能（音量調整機能）を割り当てておくことが可能となるため、操作パネル２２の各種操作キーを有効に利用することが可能になる。なお、本実施形態では、ステップＳ１０２で姿勢検出部２９の検出結果に基づく補正を行う際の画像補正部２６が自動補正部に相当し、ステップＳ１０５，Ｓ１０７で方向キー４４の操作に応じた補正を行う際の画像補正部２６が手動補正部に相当する。
【００５３】
（第２実施形態）
以下、第２実施形態のプロジェクターについて、図面を参照して説明する。
本実施形態のプロジェクターは、第１実施形態と同様の構成を有しているが、台形歪を補正する際のプロジェクター１の動作が第１実施形態とは異なっている。
【００５４】
図７は、第２実施形態において、台形歪を補正する際のプロジェクター１の動作を示すフローチャートである。ユーザーがプロジェクター１の姿勢（傾き）を変化させると、プロジェクター１は、図７に示すフローに従って動作する。
図７に示すように、ステップＳ２０１では、姿勢検出部２９がプロジェクター１の傾きを検出し、検出結果を制御部２０に出力する。
【００５５】
ステップＳ２０２では、制御部２０は、姿勢検出部２９の検出結果に基づいて、画像補正部２６に縦方向の台形歪を補正（自動補正）させる。つまり、制御部２０は、画像補正部２６に指示をして、姿勢検出部２９が検出したプロジェクター１の傾きに応じて画像形成領域１２ｅの形状を設定させ、この画像形成領域１２ｅ内に入力画像を形成させる。
【００５６】
ステップＳ２０３では、制御部２０は、ＯＳＤ処理部２５に指示をして、台形歪を手動で補正するための操作を補助する操作画面Ｐｃを重畳表示させる（図８参照）。
【００５７】
図８に示すように、操作画面Ｐｃは、縦方向及び横方向の台形歪の補正状態を表す補正値Ｎｖ，Ｎｈと、棒グラフ状のインジケーターＩｖ，Ｉｈとを含んでおり、ユーザーは、これらの補正値Ｎｖ，ＮｈやインジケーターＩｖ，Ｉｈで補正状態を確認しながら、台形歪を手動で補正することができる。また、操作画面Ｐｃには、上下の方向キー４４ａ，４４ｂを操作することによって縦方向の台形歪を補正できることと、左右の方向キー４４ｃ，４４ｄを操作することによって横方向の台形歪を補正できることと、ＥＳＣキー４６を操作することによって台形歪の補正を終了させることができることを示す表記が含まれている。
【００５８】
図７に戻って、ステップＳ２０４では、制御部２０は、左右の方向キー４４ｃ，４４ｄに対する機能の割り当てを一時的に変更する。具体的には、それまで割り当てられていた音量調整機能の代わりに、横方向手動補正機能を左右の方向キー４４ｃ，４４ｄに一時的に割り当てる。これ以降、ユーザーは、操作画面Ｐｃ内に表記されているように、上下の方向キー４４ａ，４４ｂを操作することによって、縦方向の台形歪を手動で補正できるとともに、左右の方向キー４４ｃ，４４ｄを操作することによって、横方向の台形歪を手動で補正することが可能となる。
【００５９】
ステップＳ２０５では、制御部２０は、上下の方向キー４４ａ，４４ｂが操作されたか否かを判断する。そして、上下の方向キー４４ａ，４４ｂが操作された場合にはステップＳ２０６に移行し、上下の方向キー４４ａ，４４ｂが操作されていない場合にはステップＳ２０７に移行する。
【００６０】
上下の方向キー４４ａ，４４ｂが操作されてステップＳ２０６に移行した場合には、制御部２０は、操作された方向キー４４ａ，４４ｂに応じて画像補正部２６に縦方向の台形歪を補正（手動補正）させて、ステップＳ２０５に戻る。
【００６１】
ステップＳ２０７では、制御部２０は、左右の方向キー４４ｃ，４４ｄが操作されたか否かを判断する。そして、左右の方向キー４４ｃ，４４ｄが操作された場合にはステップＳ２０８に移行し、左右の方向キー４４ｃ，４４ｄが操作されていない場合にはステップＳ２０９に移行する。
【００６２】
左右の方向キー４４ｃ，４４ｄが操作されてステップＳ２０８に移行した場合には、制御部２０は、操作された方向キー４４ｃ，４４ｄに応じて画像補正部２６に横方向の台形歪を補正（手動補正）させて、ステップＳ２０５に戻る。
【００６３】
ステップＳ２０９では、制御部２０は、ＥＳＣキー４６が操作されたか否かを判断する。そして、ＥＳＣキー４６が操作された場合にはステップＳ２１０に移行し、ＥＳＣキー４６が操作されていない場合にはステップＳ２０５に戻る。
【００６４】
ＥＳＣキー４６が操作されてステップＳ２１０に移行した場合には、制御部２０は、左右の方向キー４４ｃ，４４ｄに対する機能の割り当てを元に戻す。つまり、左右の方向キー４４ｃ，４４ｄに、音量調整機能を再び割り当てる。
【００６５】
そして、ステップＳ２１１では、制御部２０は、操作画面Ｐｃの重畳表示を終了させてフローを終了する。
【００６６】
以上説明したように、本実施形態のプロジェクター１よれば、第１実施形態の効果に加えて以下の効果を得ることができる。
本実施形態のプロジェクター１によれば、姿勢検出部２９の検出結果に基づく補正（自動補正）の後で、台形歪を手動で補正するための操作画面Ｐｃが表示されるため、自動補正を補う補正を手動で行う際の利便性が向上する。なお、本実施形態では、操作画面Ｐｃを表示させる際の制御部２０及びＯＳＤ処理部２５が操作画面表示部に相当する。
【００６７】
また、ステップＳ２０３で操作画面Ｐｃを表示する前に、制御部２０が、図９に示すような確認画面ＰａをＯＳＤ処理部２５に表示させ、台形歪を手動で補正するか否かを事前に問い合わせるようにしてもよい。この確認画面Ｐａでは、「手動で補正しますか？」という問い合わせに対する応答として、「はい」と「いいえ」の２つの項目が表記されており、ユーザーは、方向キー４４で所望の項目を選択した後で決定キー４５を操作することによって応答を行うことができる。そして、問い合わせへの応答として、「はい」を選択した場合、即ち台形歪を手動で補正することを示す入力操作を操作パネル２２が受け付けた場合には、ステップＳ２０３に移行して操作画面Ｐｃを表示し、「いいえ」を選択した場合、即ち手動で補正しないことを示す入力操作を操作パネル２２が受け付けた場合には、操作画面Ｐｃを表示することなくフローを終了するようにすればよい。この態様によれば、自動補正だけ行えば十分な状況において、手動で補正するための操作画面Ｐｃを表示せずに済む。なお、確認画面Ｐａを表示させる際の制御部２０及びＯＳＤ処理部２５が確認画面表示部に相当する。
【００６８】
（変形例）
また、上記実施形態は、以下のように変更してもよい。
【００６９】
上記実施形態において、ユーザーが台形歪を手動で補正するのは、自動補正の後であることが多いことから、自動補正の後で左右の方向キー４４ｃ，４４ｄに対する機能の割り当てを変更しているが、機能の割り当てを変更するタイミングは、自動補正の後に限定されない。例えば、自動補正の途中で機能の割り当てを変更するようにしてもよいし、自動補正を実施する直前に機能の割り当てを変更しておくようにしてもよい。
【００７０】
上記実施形態では、上下の方向キー４４ａ，４４ｂには、縦方向手動補正機能が常時割り当てられ、左右の方向キー４４ｃ，４４ｄには、自動補正の後で横方向手動補正機能が一時的に割り当てられるようになっているが、上下の方向キー４４ａ，４４ｂについても、通常は他の機能を割り当てておいて、自動補正の後で縦方向手動補正機能を一時的に割り当てるようにしてもよい。なお、各機能と操作キーとの組み合わせは、上記に限定されず、様々な組み合わせが可能であり、方向キー４４以外の操作キーに割り当てるようにしてもよい。
【００７１】
上記実施形態では、縦方向と横方向の双方の台形歪を手動で補正可能になっているが、この構成に限定されず、いずれか一方向の台形歪のみを手動で補正できる構成であってもよい。
【００７２】
上記実施形態では、縦方向の台形歪のみが自動補正されるようになっているが、横方向の台形歪についても自動補正できるようにしてもよい。例えば、投写面Ｓを撮像可能な撮像手段と、撮像手段で撮像した画像（撮像画像）に含まれる投写面Ｓ（例えば、スクリーン）の枠及び投写された画像の輪郭に基づいて、投写面Ｓに対するプロジェクター１の上下方向及び左右方向の傾きを導出する画像解析手段とをプロジェクター１に備えるようにして、この導出結果に基づいて縦方向及び横方向の台形歪を補正する態様を採用することができる。この場合には、撮像手段及び画像解析手段が姿勢検出部に相当する。
【００７３】
上記実施形態では、光変調装置として３つの液晶ライトバルブ１２Ｒ，１２Ｇ，１２Ｂを用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像光に変調する態様とすることも可能である。
【００７４】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７５】
上記実施形態では、光源装置１１は、放電型の光源ランプ１１ａによって構成されているが、ＬＥＤ（Light Emitting Diode：発光ダイオード）光源やレーザー光源等の固体光源、或いはその他の光源に適用することもできる。
【符号の説明】
【００７６】
１…プロジェクター、２…筐体、２ｆ…前面、２ｒ…背面、２ｔ…上面、３…開口部、４…フット、４ａ…フロントフット、１０…画像投写部、１１…光源装置、１１ａ…光源ランプ、１１ｂ…リフレクター、１２Ｒ，１２Ｇ，１２Ｂ…液晶ライトバルブ、１２ａ…画素領域、１２ｅ…画像形成領域、１３…投写レンズ、１４…液晶駆動部、２０…制御部、２１…記憶部、２２…操作パネル、２３…画像音声入力部、２４…画像処理部、２５…ＯＳＤ処理部、２６…画像補正部、２７…音声処理部、２８…スピーカー、２９…姿勢検出部、４１…電源キー、４２…入力切替キー、４３…メニューキー、４４…方向キー、４４ａ…上方向キー、４４ｂ…下方向キー、４４ｃ…左方向キー、４４ｄ…右方向キー、４５…決定キー、４６…ＥＳＣキー、４７…ヘルプキー、Ｓ…投写面、Ｐｏ…画像、Ｐｉ…入力画像、Ｐｃ…操作画面、Ｐａ…確認画面、Ｎｖ，Ｎｈ…補正値、Ｉｖ，Ｉｈ…インジケーター。
【図１】
2012160930.tif 000003
【図２】
2012160930.tif 000004
【図３】
2012160930.tif 000005
【図４】
2012160930.tif 000006
【図５】
2012160930.tif 000007
【図６】
2012160930.tif 000008
【図７】
2012160930.tif 000009
【図８】
2012160930.tif 000010
【図９】
2012160930.tif 000011